(57)【要約】      （修正有）【課題】カフのボタンとボタンホールに固定することで袖を折り返して固定する器具として、好適な袖折り返し保持具を提供する。【解決手段】ボタン１３，１４とボタンホール１５で留めるカフＣを有する袖を折り返した状態で保持する保持具Ｘを、一端側にカフのボタンＢが係合するボタンホールからなる係合ホールが設けられ、他端側にカフのボタンホールＨに係合するボタンからなる係合ボタンが設けられた軟質の素材でできた帯状体１１，１２により形成し、帯状体の長さを、係合ホールをカフのボタンに係合させ、係合ボタンをカフのボタンホールに係合させて、帯状体をカフの相対する側縁同士が離れる方向に真っ直ぐに伸ばしたときに、カフの相対する側縁同士に所定長さの隙間が開く程度とする。【選択図】図２
0003191883.tif 000002
【実用新案登録請求の範囲】
【請求項１】
ボタンとボタンホールで留めるカフを有する袖を折り返した状態で保持する保持具であって、
一端側に前記カフのボタンが係合するボタンホールからなる係合ホールが設けられ、他端側に前記カフのボタンホールに係合するボタンからなる係合ボタンが設けられた軟質の素材でできた帯状体からなり、
前記係合ホールを前記カフのボタンに係合させ、前記係合ボタンをカフのボタンホールに係合させて、前記帯状体を前記カフの相対する側縁同士が離れる方向に真っ直ぐに伸ばしたときに、前記カフの相対する側縁同士の間に所定長さの隙間が開く長さに前記帯状体が形成される
袖折り返し保持具。
【請求項２】
前記隙間は１０ｍｍ〜９０ｍｍの範囲に含まれるものである請求項１に記載の袖折り返し保持具。
【請求項３】
前記係合ボタンは、前記帯状体の長手方向に沿って２以上設けられる請求項１又は２に記載の袖折り返し保持具。
【請求項４】
前記係合ボタンは、前記帯状体の表面及び裏面のそれぞれに設けられる請求項１から３のいずれか１項に記載の袖折り返し保持具。
【請求項５】
前記帯状体は表面と裏面で、色、模様、素材の少なくとも一つが異なるものである請求項４に記載の袖折り返し保持具。
【請求項６】
前記係合ホールを前記カフのボタンに係合させ、前記係合ボタンをカフのボタンホールに係合させて、前記帯状体を前記カフの相対する側縁同士が離れる方向に真っ直ぐに伸ばしたときに、前記カフの相対する側縁同士に所定長さの隙間が開く長さに前記帯状体を形成することに代えて、又は、加えて、前記帯状体を弾性力により伸縮する素材により形成した請求項１から５のいずれか１項に記載の袖折り返し保持具。
【考案の詳細な説明】
【技術分野】
【０００１】
本考案は、シャツなどの袖を折り返した状態で保持する器具に関する。
【背景技術】
【０００２】
シャツの袖は暑い場合や、おしゃれを目的に折り返すことがある。この際、折り返した袖が戻らないようにするには二回以上折り返す必要があり、一回だけの折り返しだと、すぐに折り返しは真っ直ぐに伸びて元の状態に戻ってしまう。これを防ぐ方法として、袖の長手方向に延びる先端にスナップボタンの一方が設けられたベルトの基端を袖の内側に固定しておき、袖を折り返した後で、ベルトの先端を袖表面に設けたスナップボタンの他方に係合させて固定する方法が採用されている。しかし、この方法だとシャツに予めベルトを固定しておく必要があり、汎用性に欠ける。
ところで、下記特許文献にはカフのボタンとボタンホールとを連結する鎖や金属プレートが示されている。これらは、カフを留めるためのものであって、袖を折り返した状態で保持するものではないが、袖を折り返した状態で、これらの器具でカフのボタンとボタンホールとを連結すると袖の一回だけの折り返しでも、保持固定できるものと考えられる。
【先行技術文献】
【特許文献】
【０００３】
【特許文献１】実用新案登録3132485号公報
【特許文献２】特願2006-291431号公報
【考案の概要】
【考案が解決しようとする課題】
【０００４】
しかしながら、上記各発明はカフを留めるためのものなので袖を折り返して固定するには不都合が多い。具体的には、特許文献１に記載の考案はチェーンにより形成されるものであるが、カフを留めるためのものであるのでチェーンの長さがカフの相対する側縁同士が閉じるような長さに形成されている。このため、袖を伸ばした状態でチェーンを固定し、その後に折り返すことはできず、また、折り返したカフ部分は腕のより太い位置に来るので、短すぎるチェーンは腕を強く締め付けることとなる。さらに、折り返すとカフのボタンは内側に位置するので、チェーンも内側に位置するが、硬いチェーンは皮膚を圧迫して痛みを生じさせることも考えられる。特許文献２に記載の発明は３つ折りになった金属の帯により形成されるので、長く伸ばすことができるため、袖を伸ばした状態で固定し、その後に折り返すことが可能であるが、このままだと硬質な金属の板から構成されているので不要に袖回りから突出して見た目が悪く、折りたたんだ状態ではカフのボタンとボタンホールとが重なるので、袖を折り返した位置の腕の太い部分においては折りたたんで固定することは困難である。そして、やはりチェーンと同様に硬い金属の帯体が皮膚を圧迫して痛みを生じさせる可能性もある。
本考案はこのような問題に鑑みて、カフのボタンとボタンホールに固定することで袖を折り返して固定する器具として、好適な構造を提供することを課題とする。
【課題を解決するための手段】
【０００５】
上記課題を解決するために、本考案は、次のような構成を有する。
請求項１に記載の考案は、ボタンとボタンホールで留めるカフを有する袖を折り返した状態で保持する保持具であって、一端側に前記カフのボタンが係合するボタンホールからなる係合ホールが設けられ、他端側に前記カフのボタンホールに係合するボタンからなる係合ボタンが設けられた軟質の素材でできた帯状体からなり、前記係合ホールを前記カフのボタンに係合させ、前記係合ボタンをカフのボタンホールに係合させて、前記帯状体を前記カフの相対する側縁同士が離れる方向に真っ直ぐに伸ばしたときに、前記カフの相対する側縁同士に所定長さの隙間が開く長さに前記帯状体が形成される袖折り返し保持具である。なお、カフの側縁は袖口の開口面に直交するカフの二つの縁部を意味する。
請求項２に記載の考案は、前記袖折り返し保持具において、前記隙間は１０ｍｍ〜９０ｍｍの範囲に含まれるものである。
請求項３に記載の考案は、前記袖折り返し保持具において、前記係合ボタンは、前記帯状体の長手方向に沿って２以上設けられるものである。
請求項４に記載の考案は、前記袖折り返し保持具において、前記係合ボタンは、前記帯状体の表面及び裏面のそれぞれに設けられるものである。
請求項５に記載の考案は、請求項４に記載の袖折り返し保持具において、前記帯状体は表面と裏面で、色、模様、素材の少なくとも一つが異なるものである。
請求項６に記載の考案は、前記袖折り返し保持具において、前記係合ホールを前記カフのボタンに係合させ、前記係合ボタンをカフのボタンホールに係合させて、前記帯状体を前記カフの相対する側縁同士が離れる方向に真っ直ぐに伸ばしたときに、前記カフの相対する側縁同士に所定長さの隙間が開く長さに前記帯状体を形成することに代えて又は加えて、前記帯状体を弾性力により伸縮する素材により形成したものである。
【考案の効果】
【０００６】
以上のような構成により、本考案は、次のような効果を奏する。
請求項１に記載の考案は、まず、袖を伸ばした状態で、係合ホールをカフのボタンに係合させるとともに、係合ボタンをカフのボタンホールに係合させ、その後、この状態で袖を折り返す。この際、カフの対向する側縁同士の間に隙間が形成されており、帯状体はやわらかい素材で形成されているので、手で力を加えれば比較的簡単に袖を折り返すことができる一方、折り返した後は、カフの対向する側縁同士の間隔が一定以上開かないよう拘束されるので、自然に折り返した袖が元に戻ることはなく、折り返した状態が保持されることとなる。このように、本考案は、袖を伸ばした状態で固定してから袖を折り返すことができるので、簡易に装着が可能であり、折り返した後もやわらかい帯状体で形成されるので、肌に当たっても痛みや違和感を与えることがない。
請求項２に記載の考案は、１０ｍｍ〜９０ｍｍ程度の隙間が形成されれば袖を折り返すことができ、また、大きめの値とすればスーツやジャケットの袖とシャツの袖を重ねて折り返すような場合や腕の太い人に対して好適である。
請求項３に記載の考案は、カフのボタンホールに係合させる係合ボタンを選択することで、カフ側面の相対する側縁同士の間隔を調節することができる。
請求項４に記載の考案は、係合ボタンを表裏両面に設けることで、例えば係合ボタンの大きさを表裏で変えることが可能となり、二種類のボタンホールの大きさが異なるシャツに適合することができる。
請求項５に記載の考案は、表裏で色等を変えることで、袖を折り返したときに表出する帯状体の見た目をシャツ等のデザインと合うように変えることができる。
請求項６に記載の考案は、帯状体を弾性力で伸縮する素材とすることで、カフ側面の相対する縁同士の間隔を無くすもしくは小さくでき、袖を折り返したときに弾性力で締め付けるので、よりしっかりと袖を折り返した状態に保持することができる。
【図面の簡単な説明】
【０００７】
【図１】（ａ）は実施形態に係る袖折り返し保持具の表面図であり、（ｂ）は実施形態に係る袖折り返し保持具の裏面図であり、（ｃ）は実施形態に係る袖折り返し保持具の側面図である。
【図２】（ａ）〜（ｃ）は実施形態に係る実施形態に係る袖折り返し保持具の使用手順を示す図である。
【考案を実施するための形態】
【０００８】
以下、本考案の実施の形態について、図面を参照しながら説明する。
図１（ａ）に本実施形態に係る袖折り返し保持具Ｘの表面図、（ｂ）に袖折り返し保持具Ｘの裏面図、（ｃ）に袖折り返し保持具Ｘの側面図を示す。袖折り返し保持具Ｘは、色の異なる布１１、１２を二枚縫い合わせて形成された帯状体により形成される。帯状体はここでは長さ９５ｍｍ、幅３０ｍｍに形成されている。袖折り返し保持具Ｘの一端側表面には２つのボタン１３、１３が長手方向に沿って並んで縫い留められ、一端側裏面にはボタン１３、１３より少し大きな２つのボタン１４、１４が長手方向に沿って並んで縫い留められている。ここでは、ボタン１３は直径１０ｍｍ、厚さ４ｍｍのボタンが採用され、ボタン１４は直径１１．５ｍｍ、厚さ２ｍｍのボタンが採用され、裏面、表面とも帯状体の一端から１０ｍｍの位置に一のボタンの中心が位置し、各ボタンの中心間は２０ｍｍに設定されている。ボタン１３及びボタン１４は、所定カフのボタンホールに係合する係合ボタンを構成する。また、保持具Ｘの他端側にはボタンホール１５が形成されている。ボタンホール１５は、ここでは長さ１５ｍｍに設定され、中心が帯状体の他端から１２．５ｍｍの位置に形成されている。ボタンホール１５は、所定のカフのボタンに係合する係合ボタンホールを構成する。
【０００９】
次に、以上のような構成を有する袖折り返し保持具Ｘの使用方法について説明する。まず、使用者は図２（ａ）に示すように、シャツのカフＣを伸ばした状態で、図２（ｂ）に示すように、カフＣのボタンホールＨにボタン１３、１３、ボタン１４、１４の内のいずれかのボタンを係合させ、カフＣのボタンＢにボタンホール１５を係合させる。ここでは端にあるボタン１３を係合させている。ボタン１３、１３、１４、１４の選択は、裏表に関してはシャツの色味との兼ね合いや、シャツのボタンホール１５の大きさに基づき決めればよく、長手方向に沿った２つのボタンの選択は袖を折り返した際の締め付け具合や布の厚さの具合などに基づき決めればよい。この点は、シャツにボタンＢが複数ある場合にどのボタンＢをボタンホール１５に係合させるかを決める際の基準ともなる。
その後、図２（ｃ）に示すように袖を折り返す。なお、ここではシャツの袖とスーツＳの袖を重ねて折り返す例を示している。折り返す際に、袖折り返し保持具ＸはカフＣの向かい合う側縁部同士を適度に間隔が設けられる程度に拘束するので、比較的容易に折り返すことができ、また、袖を折り返すとカフＣの向かい合う側縁部同士の距離が大きくなるとともに、カフＣの位置する腕周りが太くなり、さらにスーツの袖部分の厚さも加わることと相まって、カフＣは袖折り返し保持具Ｘによる拘束が強くなり、折り返した袖が自然に元に戻ることはない。なお、ここではシャツの袖とスーツの袖を重ねて折り返しているが、シャツだけで折り返してもよく、この場合は、カフＣの向かい合う側縁部同士の間隔がより短くなるようにボタン１３又は１４、及びボタンホール１５の位置を選択すればよい。
このように、本実施形態に係る袖折り返し保持具Ｘは袖を伸ばした状態で装着したあとで折り返すので、作業が容易であり、また、軟質な布で形成されるので皮膚を圧迫して痛めるようなことがない。
【００１０】
なお、袖折り返し保持具Ｘにより拘束されるカフの対向する側面同士の隙間は、１０ｍｍ以上あることが望ましい。また、この隙間が大きくなりすぎると折り返した袖が戻ってしまいやすくなるが、上記実施形態に示すようにスーツの袖とともに折り返す場合や、腕周りが非常に大きい人に対しては９０ｍｍ程度の隙間でも袖が自然に戻ることはない。
また、上記実施形態では帯状体として一般的な布を採用しているが、布に代えて織ゴムのような弾性力により伸びる素材で形成してもよい。この場合、カフの対向する側面同士の隙間はなくても袖を折り返すことが可能であり、また、袖を折り返した際に帯状体が伸びれば、袖を拘束する力が強くなるので、より確実に折り返した状態に保持することができる。
さらに、本袖折り返し保持具はシャツの袖以外にも、カフがボタンとボタンホールで留めるような構成を有するものであれば、ジャンパーやスーツなどの上着にも用いることができる。
そして、上記実施形態では表裏の布を変え、表裏にボタンを２つずつ設けたものを示しているが、表裏同じ布でもよく、また、一面のみボタンを設けたり、ボタンの数を１つ若しくは３つ以上設けることもできる。また、布の形状も必要な長さが確保できれば種々の変形が可能である。
【符号の説明】
【００１１】
Ｘ  袖折り返し保持具
Ｂ  カフのボタン
Ｈ  カフのボタンホール
１１、１２  布
１３、１４  ボタン
１５  ボタンホール
【図１】
0003191883.tif 000003
【図２】
0003191883.tif 000004